(57)【特許請求の範囲】
【請求項１】
高さ調節機能を有するベッドにおいて、そのベッド下部に進入可能でフロア上面に設置される設地脚部と、前記設地脚部からベッド側部を迂回して上方へ伸びる縦杆部と、前記縦杆部の上端側に設けられ、ベッド床部を上昇させた状態でその床部より上側に位置し、ベッド上で仰向けに寝ている人の膝裏部を受ける脚保持部とから構成され、前記縦杆部はその下端側を基端としてフロア面に対して前後に揺動可能に設けることにより、前記脚保持部を前記接地脚部を基端として前後回動自在となるよう構成したことを特徴とするおむつ交換用補助具。
【発明の詳細な説明】
【０００１】
【発明の属する技術分野】
本発明は、寝たきり老人等、身体不自由者のおむつを交換する際等に使用し、介護者に掛かる負担を軽減するおむつ交換用補助具に関するものである。
【０００２】
【従来の技術】
寝たきり老人等、身体不自由者は自力でトイレへ行くことができないため、おむつが装着される。おむつは頻繁に交換することが望ましいが、介護者が身体不自由者の腰を抱え上げる等して人力で行うことは極めて重労働であり、また、介護作業も無理な姿勢で行われることが多く、腰痛等の原因にもなっていた。さらに、介護者一人でおむつ交換を行うのは非常に困難であった。
【０００３】
そこで、おむつ交換における介護者の負担を軽減させるために、仰向け状態の身体不自由者の腰部や脚部を機械的に吊り上げたり、押し上げたりして腰を浮かせ、その状態を保持させることによって、介護者が両手を使っておむつ交換ができるおむつ交換用補助具が提案されている。
【０００４】
しかしながら、従来の補助具は、身体不自由者の腰部や脚部を吊り上げたり、押し上げたりするための駆動装置をその補助具自体に備えているために、介護者によっては重く扱いにくいものであり、また、高価なものとなっていた。
【０００５】
【発明が解決しようとする課題】
本発明は、上記問題点に鑑みなされたものであり、現在広く普及している高さ調節機能を有するベッドにおいて使用し、ベッド床部の昇降を利用することにより補助具自体の駆動装置は不要とし、構成簡単で扱い易く、かつ安価なおむつ交換用補助具を提供することを課題としている。
【０００６】
本発明は上記課題を解決するために、次のようにした。すなわち、本発明のおむつ交換用補助具は、高さ調節機能を有するベッドにおいて、そのベッド下部に進入可能でフロア上面に設置される設地脚部と、前記設地脚部からベッド側部を迂回して上方へ伸びる縦杆部と、前記縦杆部の上端側に設けられ、ベッド床部を上昇させた状態でその床部より上側に位置し、ベッド上で仰向けに寝ている人の膝裏部を受ける脚保持部とから構成され、前記縦杆部はその下端側を基端としてフロア面に対して前後に揺動可能に設けることにより、前記脚保持部を前記接地脚部を基端として前後回動自在となるよう構成したことを特徴とする。
【０００８】
【作用】
このおむつ交換用補助具は、高さ調節機能を有するベッドを使用している寝たきり老人等、身体不自由者のおむつ交換の際に使用する。まず、ベッドの床部を上昇させ、ベッド上で仰向けに寝ている身体不自由者の膝裏部に補助具の脚保持部を側方から差し込み、これに両足を掛ける。この補助具はコ字状に構成されているから、脚保持部を十分に差し込んで、身体不自由者の両足を掛けることができるようになっている。
【０００９】
脚保持部に身体不自由者の両足を掛けた状態で、接地脚部はベッドの下部に進入している。縦杆部は自重により脚保持部を中心として垂直状態になるように回動する。このとき、ベッドによっては接地脚部がフロアに当接して、縦杆部が垂直状態にならない場合があるが、極端に傾斜している場合には、介護者が強制的に、縦杆部が略垂直状態となるように修正すればよい。この場合、身体不自由者は膝部がやや持ち上げられた状態となる。また、縦杆部の長さを調節可能に設ける等、脚保持部と接地脚部との間隔を調節できるようにして、縦杆部が垂直状態になったところで固定するようにしてもよい。
【００１０】
この状態から、ベッドの床部を下降させていくと、身体不自由者の上半身側は下降していくが、脚保持部に掛けられた両足は、依然、元の上昇高さにて保持される。すなわち、仰向け状態にある身体不自由者は、膝部が徐々に持ち上げられていくようになる。
【００１１】
身体不自由者は、膝部が持ち上げられると、腰部で身体が屈曲していくため、膝部の位置は徐々に頭側へ移動するが、縦杆部がその下端側を中心として前後に揺動自在であるから、脚保持部が身体不自由者の膝部の移動に追従するようになっている。そのため、身体不自由者が無理なく自然に身体を屈曲させることができる。
【００１２】
ベッド床部の下降を続けていくと、次第に身体不自由者の臀部が露になる。そして、適当なところでベッド床部の下降を止め、介護者はおむつの交換作業をすればよい。身体不自由者はその状態で保持されているから、介護者は両手を使って丁寧に、かつ容易におむつの交換ができる。
【００１３】
おむつの交換が終われば、再びベッドを上昇させる。前記と逆の手順により、身体不自由者は元の足を伸ばした仰向け状態に戻るので、補助具を取り除けばよい。補助具の大きさは比較的小さく、また軽量であるので、収納スペースもとらず、出し入れの煩わしさもほとんどない。
【００１４】
【実施例】
以下、本発明の一実施例を図面に基づいて説明する。
このおむつ交換用補助具１は、ベッド上で仰向けに寝ている身体不自由者の膝裏部を受ける脚保持部２と、ベッド下部に進入してそのフロア面に接地する接地脚部３と、前記脚保持部２と接地脚部３とをベッド側部を迂回するようにして連結する縦杆部４とから構成される。本実施例では、パイプ部材を略コ字状に形成して、上側水平状部の外周部にクッション部材を取り付けて脚保持部２とし、下側水平状部の外周部にフロア上面で滑らないように滑り止め用のチューブを被覆して接地脚部３とし、その中間垂直部を縦杆部４としている。脚保持部２と接地脚部３との間隔は、高さ調節機能を有するベッドの床部を上昇させたときに、脚保持部２は床部上側にあり、接地脚部３はフロアに当接した状態で、縦杆部４が略垂直になるように設定している。
【００１５】
このように構成されたおむつ交換用補助具１は、高さ調節機能を有するベッドＢにおいて使用する。まず、ベッドの床部は上昇させておく。そして、ベッド上で仰向けに寝ている身体不自由者の膝裏部に脚保持部２を側方から差し込んでいき、これに身体不自由者の両足をしっかりと掛ける。このとき、縦杆部４は略垂直状態となり、接地脚部３はフロアに接地している。
【００１６】
この状態からベッド床部を下降させていくと、身体不自由者の上半身は下降していくが、脚保持部２に掛けられた両足は元の上昇高さに保持される。すなわち、身体不自由者にとっては、仰向け状態から徐々に膝部が持ち上げられていくのと同じ作用となる。
【００１７】
ところで、身体不自由者は膝部が持ち上げられていくと、身体は腰部で曲がっていく。そして、それに伴って膝部も頭側へと移動していく。この補助具１は、接地脚部３がパイプ部材であって、接地面が円弧形状であるので、接地脚部３は略定位置のまま縦杆部４が傾斜可能であり、脚保持部２を前後に円弧運動させることができる。したがって、脚保持部２が身体不自由者の膝部の移動に追従して動き、身体不自由者は無理なく自然に身体を曲げることができる。
【００１８】
介護者は、身体不自由者の臀部が露になったところで、ベッド床部の下降を止めればよい。身体不自由者はこの状態で保持されるから、介護者は両手を使って丁寧にかつ容易におむつの交換作業をすることができる。
【００１９】
おむつ交換が終われば、再びベッドの床部を上昇させる。すると、前記とは逆の作用で、身体不自由者が元の足を伸ばした状態に戻っていく。ベッド床部を最初の上昇位置に戻したら、この補助具１を取り除けばよい。
【００２０】
この補助具１は、特別な駆動装置も備えておらず、構成も簡単であるから、軽量かつコンパクトである。したがって、必要なときに取り出し、不要なときには片付けるということも、負担でなくなる。また、収納スペースについて気にする必要もなくなり、大変扱い易いものである。
【００２１】
図３は接地脚部３の別の実施例を示している。これは、パイプ部材を略コ字状に形成し、その下側水平状部を、別に設けられた断面が略三角形状をした接地脚部３に穿たれた通孔に嵌挿したものである。すなわち、この補助具１は、フロア上に固定状態となる接地脚部３に対して、縦杆部４がその下端部を軸心として前後に揺動するよう構成したものであって、前述の実施例と同じ作用効果が得られる。
【００２２】
【発明の効果】
以上に説明したように、本発明のおむつ交換用補助具によれば、高さ調節機能を有するベッドとともに使用し、その床部の昇降を利用することによって、補助具自体には何ら駆動装置を備えなくとも、ベッド上で仰向けに寝ている人の臀部を容易に露にさせることができる。補助具自体に駆動装置を備える必要がないので、構成簡単で、軽量かつコンパクトである。そのため、大変扱い易い。また、安価に製作できる。収納場所についてもさほど気にする必要がない。さらに、身体不自由者の膝裏部を受ける脚保持部が自由に前後移動できるから、身体の曲げに追従して動き、身体不自由者は無理なく姿勢変更される。
【図面の簡単な説明】
【図１】本発明にかかるおむつ交換用補助具の全体斜視図
【図２】本発明にかかるおむつ交換用補助具の使用状態説明図
【図３】脚保持部の別の実施例を示す全体斜視図
【符号の説明】
１  おむつ交換用補助具
２  脚保持部
３  接地脚部
４  縦杆部
Ｂ  高さ調節機能を有するベッド
【図１】
0004020172.tif 000002
【図２】
0004020172.tif 000003
【図３】
0004020172.tif 000004